(57)【要約】【課題】費用を抑えて、施工依頼者の好みを十分に生かしたオリジナル間取りの飲食店舗の店内に施工するする組立式による飲食店舗の内装施工方法と、この施工方法による組立式による飲食店舗の内装構造を提供することを課題とする。【解決手段】個々の顧客の要望に合わせたオリジナルな間取りの店舗の内装を、オリジナル製作の内装キットを組み立て、更に、オリジナル製作の客席用備品及び厨房設備品をそれぞれ組み立てて施工することを特徴とする組立式による飲食店舗の内装施工方法と、この施工方法により施工された組立式による飲食店舗の内装構造にした。【選択図】図１
2006063773.tif 000002
【特許請求の範囲】
【請求項１】
組立式飲食店舗の内装を、個々の店舗の内装様式に合わせたサイズ及び形状にプレカットされたオリジナル製作の内装キットを組み立て、更に、オリジナル製作の客席用備品及び厨房設備品をそれぞれ組み合わせて施工することを特徴とする組立式による飲食店舗の内装施工方法。
【請求項２】
前記内装キットとして、壁材、床材、天井材、客室と厨房とを仕切る間仕切り材、装飾材の各キットが用いられる請求項１に記載の組立式による飲食店舗の内装施工方法。
【請求項３】
前記内装キットとして、客室ブースに近接して設ける目隠し材が用いられる請求項１又は２に記載の組立式による飲食店舗の内装施工方法。
【請求項４】
店舗予定の床スペースを一定間隔毎の方眼に仮想分割し、この方眼単位に店内の間取りを決め、前記客席用備品と前記厨房設備品の配置を決める請求項１ないし３のいずれかに記載の組立式による飲食店舗の内装施工方法。
【請求項５】
前記方眼単位は、１辺が９００ｍｍの正方形である請求項４に記載の組立式による飲食店舗の内装施工方法。
【請求項６】
前記内装キットには、該キットの発注管理、在庫管理、納入管理、及び組み立てを容易にする品番、符号、文字、図、絵のいずれかが付されたものが使用される請求項１ないし５のいずれかに記載の組立式による飲食店舗の内装施工方法。
【請求項７】
請求項１ないし６のいずれかに記載の組立式飲食店舗の内装施工方法により施工されていることを特徴とする組立式による飲食店舗の内装構造。
【請求項８】
前記組立式飲食店舗は、日本料理店、イタリア料理店、フランス料理店、その他の西洋料理店、中華料理店、インド料理店、韓国料理店、その他のアジア料理店、無国籍料理店、そば・うどん店、ファーストフード店、一般食堂、焼肉店、ちゃんこ料理店、茶店、喫茶店、バー、クラブ、料亭のいずれかの店舗である請求項６又は７に記載の組立式飲食店舗の内装構造。
【請求項９】
施工希望顧客の店舗スペースをパソコンに入力するための営業支援ツールであって、
複数種類の店舗スペースのモデル図及びその寸法引出し線と、寸法引出し線に対応した寸法入力欄とが読出し可能に記憶され、
ディスプレイ上に読出した各モデル図の中からマウス又はキーボード或いはタッチペンなどのいずれか又は複数の入力手段を操作して、施工希望者の店舗スペースに似たモデル図を選択し、
選択したモデル図の寸法線に示される部分に対応した現場寸法の測定を行って前記入力手段を操作して寸法入力欄に入力すると、モデル図を入力した寸法値に合わせて補正し、補正後のモデル図と、入力した寸法値を、記憶装置に読出し可能に記憶させるプログラムが格納されていることを特徴とするパソコン用記憶媒体。
【請求項１０】
施工予定顧客が施工完成予想の仮想画像をパソコン上で見ることができる営業支援ツールであって、
設計者が施工依頼顧客の要望に合わせて作成した二次元及び三次元の完成予想図の画像が読出し可能に記憶され、
施工業者及び／又は施工予定顧客のパソコンから読出して、所望の目の高さ、目の向き、照明の種類及び明るさを変化させることができる三次元画像又は三次元動画でディスプレイに表示可能なプログラムが格納されていることを特徴とするパソコン用プログラム記憶媒体。
【請求項１１】
請求項１に記載の内装キット、客席構成品、厨房設備品などの施工に必要な資材の運送スケジュールを決める資材の運送管理システムであって、
資材の調達先の住所と出荷可能スケジュール、資材の数量、運送先の住所、交通ルート、陸上運送及び海上運送の価格、陸上運送及び海上運送業者の運送スケジュール、天候などを、通信回線を通じてディアルタイムで入手し、これらのデータをパソコンで解析して、経済的で効率の良い運送方法と運送日程と運送ルートを決定して、その情報をパソコンの画面に表示させることを特徴とする資材運送管理システム。
【発明の詳細な説明】
【発明の詳細な説明】
【技術分野】
【０００１】  本発明は、組立式による飲食店舗の施工方法及び組立式による飲食店舗の内装構造等の発明であり、詳細には、オリジナル製作の内装キット、客席構成品、厨房設備品などを組み立てて施工する組立式による飲食店舗の施工方法と、この施工方法により施工された組立式による飲食店舗の内装構造と、この店舗を施工する施工業者の営業用ツールが格納されたパソコン用の記憶媒体と、施工に必要な資材の運送スケジュールを決める資材運送管理システムに関する。
【背景技術】
【０００２】  飲食店舗の内装は、チェーン店を除いては規格化されたデザインのものが無いために、店舗デザイナー、設計者が、飲食業の形態、施工依頼者の要望と予算、施工空間のスペースなどを聞いて設計図面を作成し、この設計図面をもとにして施工が行われ、その施工は、大工職人、内装職人による職人仕事で行われる。
このため、施工に時間が掛かるという問題があった。また、従来では、将来の店舗改装、店舗の移転、店舗の取り壊しを考慮した内装になっていなかったので、これらの際には大掛かりな解体工事が必要になり、廃材を多く排出させていた。
店舗施工を容易に、しかも短期間で終わらせることは、施工費用が抑えられるため、従来では、組立式の壁、間仕切り、パーテーションなどが使用されることもあった。
また、店舗の内装だけでなく、外装も含めた店舗建物を分割構造にして、これを現場で組み立てるユニット化工法が、特開平９−８８３６０号公報に記載の「組立店舗」、特開２００４−１２４５７７号公報に記載の「ユニット型店舗及びその組立方法」などが開示されている。【０００３】  ところで、飲食店舗の施工業者の営業マンが行う施工の契約を獲得するためのプレゼンテーションは、施工の契約を決定づける重要な場面であり、とくに最近ではパソコンやプロジェクターを利用することが多くなっている。【０００４】
【特許文献１】特開平９−８８３６０号公報
【特許文献２】特開２００４−１２４５７７号公報
【発明が解決しようとする課題】
【０００５】
【０００６】  従来から市販されてきた、組立式の壁、間仕切り、パーテーションは、各種のものがあるが、いずれもサイズや形状毎に規格化された製品である。しかしながら、飲食店舗の形態は多様にあり、飲食店舗の内装も様々であるため、各種ある中から好みの組み立て式の壁などを選択する場合でも、選択できる範囲は限られていた。このため、飲食店舗を個性豊かな雰囲気を持たせたり、豪華な雰囲気を持たせるための内装に対応できないことが少なくなかった。
【０００７】  また、従来技術で挙げたユニット型店舗のように、店舗を分割させて、施工現場でこれを組み立てる構造の店舗構造は、都市の大部分に見られるビルのテナントに入居するタイプの店舗には対応できない。
【０００８】  本発明は、これらの課題を解消するもので、費用を抑え、内装キットを短期間で組み立てて、店舗の内装を行い、或いは店舗の内装のリフォームができ、更なるリフォーム、客室の模様替え、店の移転や廃業時のときの内装の撤去も容易に行える組立式による飲食店舗の内装施工方法と、この施工方法により施工された組立式による飲食店舗の内装構造と、施工希望顧客の店内の間取りをパソコンに入力する営業支援ツールが格納されたパソコン用記憶媒体、施工予定顧客が施工完成予想の仮想画像をパソコン上で見ることができる営業支援ツールが格納されたパソコン用記憶媒体、施工に必要な資材の経済的で効率良い運送方法と運送日程と運送ルートを決定して、その情報をパソコンの画面に表示させることができる資材運送管理システムなどを提供することにある。
【課題を解決するための手段とその効果】
【０００９】  以上の課題を解決するための手段である請求項１に記載の発明は、飲食店舗の内装を、個々の店舗の内装様式に合わせたサイズ及び形状にプレカットされたオリジナル製作の内装キットを組み立て、更に、オリジナル製作の客席用備品及び厨房設備品をそれぞれ組み合わせて施工するところに特徴がある組立式による飲食店舗の内装施工方法である。
【００１０】  飲食店舗は、和食を主にする飲食店舗、イタリア料理、フランス料理などの洋食を主にする飲食店舗、バー、クラブのように飲み物と接客を主にする店舗など、飲食の業態によって店内の間取り、内装に用いる材料、客席用備品及び厨房設備品の種類が異なる。このため、内装の方法や店内の構造も様々であるが、本発明では、店舗」に合わせた内装キットの組み立てと、オリジナル製作の客席用備品及び厨房用設備品による組み合わせによる施工方法である。
【００１１】  内装キットには、壁材、天井材、床材、装飾品、収納ボックス、カウンターテーブル、照明装置、ブラインド、間仕切り、引戸、スライド戸等が挙げられ、客席が和室である場合には、座敷、襖、障子などが含まれる。畳、襖、障子などは施工を容易にするとともに施工時間を早くするために完成品を使用する。
客席用備品は、テーブル、椅子、設置型の座敷、客席用ブラインド、衝立などであり、これらは、運送や搬入に適した大きさに組み立てられた組立品又は完成品を用いて、施工を容易にするとともに施工時間が早くなるようにする。
厨房用設備品は、流し台、調理台、ガスコンロ台、冷蔵庫、フライヤー、給水設備、排水設備などが挙げられ、厨房室にはこれらの厨房用設備を組み合わせて厨房内に設置する。
【００１２】  このように、本発明の組立式による飲食店舗の内装施工方法は、内装キットを組み立てるという施工方法を採るという点で、施工現場で建材をカットするという職人仕事の内装施工方法と異なる。また、個々の店舗に合わせてプレカットした内装キットを組み立てるという点で、規格サイズの壁パネルなどを使用する施工方法とも異なる。
【００１３】  本発明では、内装キットの組み立てと、客席用備品及び厨房用設備品を適宜、組み合わせる施工方法を採るため、施工が容易で、熟練した職人を要しない。しかも、施工を短期間で済ますことができる。この結果、施工費用を抑えることができる。また、内装の変更、内装の撤去や移転も容易に行えるようになる。
とくに、内装キットは、施工現場に搬送される前に、個々の注文に合わせてプレカットされたものが使用されるため、客席用備品や厨房用設備品と共に、これらの加工や製造を人件費が安価な地域で行って、施工費用を格段に抑えることが可能になる。人件費が安価な地域とは、例えば、中国、東南アジアである。
【００１４】  次の請求項２の発明は、請求項１に記載の組立式による飲食店舗の内装施工方法に使用する内装キットとして、前記内装キットとして、壁材、床材、天井材、客室と厨房とを仕切る間仕切り材、装飾材の各キットが用いられる組立式による飲食店舗の内装施工方法である。
【００１５】  従来、これらの建材は、規格化されたサイズのものを現場でカットして使用していたのに対し、本発明の請求項２では、個々の施工に合わせてプレカットしたキットを使用する。そして、本発明の請求項２では、キットにする建材を上述したものを具体的に特定した。これらの建材は飲食店舗の内装を施工する基本となる建材であり、これらをキットにすることは、施工を容易且つ短時間にする。
ここにいうキットは、例えば、壁材であれば、壁板と壁板を固定する下地枠材が挙げられ、これらが個々の施工に合わせてプレカットされているのである。とくに、客室と厨房とを仕切る間仕切り材を、個々の施工に合わせてプレカットしたものを使用するという考え方は、従来では見られなかったが、本発明の請求項２では、これを使用することで、店舗のリフォームや模様替えを大幅に行えるようにした。そして、リフォームや店舗の解体」などの際に廃材をできるだけ出さないようにした。
【００１６】  次の請求項３に記載の発明は、請求項１又は２に記載の組立式による飲食店舖の内装施工方法において、前記内装キットとして、客室ブースに近接して設ける目隠し材が用いられる組立式による飲食店舗の内装施工方法である。
【００１７】  この請求項３に記載の飲食店舗としては、例えば、クラブが挙げられる。クラブの客席には、他の客席から見えないようにするパーテーションなどの目隠しが設けられている場合が多く、従来、この種の目隠しは、店内に搬入したものを客席ごとに並べて設置していた。これに対し、本発明の請求項３では、目隠し材を、複数のパーツを組み立てて１つのユニットになるものを使用した。このようにすると、店内の雰囲気を一層豪華に見せることができるようになる。
【００１８】  次の請求項４に記載の発明は、請求項１ないし３のいずれかに記載の飲食店舗の内装施工方法において、店舗予定の床スペースを一定間隔毎の方眼に仮想分割し、この方眼単位に店内の間取りを決め、前記客席用備品と前記厨房設備品の配置を決める組立式による飲食店舗の内装施工方法である。
【００１９】  このようにすると、間取り及び客席や厨房のレイアウトが決め易く、間取りの計算が容易にできる。また、間取りの変更及び客席や厨房のレイアウトの変更にも容易に対応できる。
【００２０】  そして、本発明の請求項５では、この方眼単位は、１辺が９００ｍｍの正方形である組立式による飲食店舗の内装施工方法を提案する。
【００２１】  この９００ｍｍの寸法は、本出願の発明者が、顧客が使用し易いテーブルと椅子の間の間隔と、テーブルの広さ、牛の大きさをもとにして設定した。例えば、テーブルとテーブルを挟んだ椅子２つとを設置する場合に必要な幅は、９００ｍｍ×２、即ち、方眼２単位の幅が必要なことが判った。
【００２２】  次の請求項６に記載の発明は、請求項１ないし５のいずれかに記載の飲食店舗の内装施工方法において、前記内装キットには、該キットの発注管理、在庫管理、納入管理、及び組み立てを容易にする品番、符号、文字、図、絵のいずれかが付されたものが使用される組立式による飲食店舗の内装施工方法である。
【００２３】  このように、内装キットに、品番、施工するときに組み付ける個所を示す表示が記されていると、入出荷、運送、伝票管理、施工時の組み立ての際に、間違いを起こさない。
【００２４】  次の請求項７に記載の発明は、請求項１ないし６のいずれかに記載の飲食店舖の内装施工方法により施工されていることを特徴とする組立式による飲食店舗の内装構造の発明である。
【００２５】  そして、次の請求項８において、請求項７に記載の飲食店舗の内装構造が、日本料理店、居酒屋、お好み焼き店、イタリア料理店、フランス料理店、その他の西洋料理店、中華料理店、インド料理店、韓国料理店、その他のアジア料理店、無国籍料理店、そば・うどん店、ファーストフード店、一般食堂、焼肉店、ちゃんこ料理店、茶店、喫茶店、バー、クラブ、料亭のいずれかの店舗の内装構造であると、具体的に特定した。
【００２６】  次の請求項９に記載の発明は、施工希望顧客の店舗スペースをパソコンに入力するための営業支援ツールであって、
複数種類の店舗スペースのモデル図及びその寸法引出し線と、寸法引出し線に対応した寸法入力欄とが読出し可能に記憶され、
ディスプレイ上に読出した各モデル図の中からマウス又はキーボード或いはタッチペンなどのいずれか又は複数の入力手段を操作して、施工希望者の店舗スペースに似たモデル図を選択し、
選択したモデル図の寸法線に示される部分に対応した現場寸法の測定を行って前記入力手段を操作して寸法入力欄に入力すると、モデル図を入力した寸法値に合わせて補正し、補正後のモデル図と、入力した寸法値を、記憶装置に読出し可能に記憶させるプログラムが格納されていることを特徴とするパソコン用記憶媒体の発明である。
【００２７】  従来、施工予定の店舗の間取りの採寸後の記録は、間取り図を描き、筆記で記入する方法で行われていたために、設計者や熟練した施工業者がこの作業をしなければ、採寸を忘れる個所が生じ易く、また、図面が正確でない場合も予想される。しかしながらこのように、パソコンを利用して、ディスプレイに表示された採寸個所の画像を見ながら用記憶媒体を利用すると、採寸する個所の忘れがない。また、採寸した数値をパソコンに入力すると、図面が自動的に正確に補正されるので、正確な図面が出来上がる。
【００２８】  次の請求項１０に記載の発明は、施工予定顧客が施工完成予想の仮想画像をパソコン上で見ることができる営業支援ツールであって、
設計者が施工依頼顧客の要望に合わせて作成した二次元及び三次元の完成予想図の画像が読出し可能に記憶され、
施工業者及び／又は施工予定顧客のパソコンから読出して、所望の目の高さ、目の向き、照明の種類及び明るさを変化させることができる三次元画像又は三次元動画でディスプレイに表示可能なプログラムが格納されていることを特徴とするパソコン用プログラム記憶媒体の発明である。
【００２９】  この請求項１０に記載のパソコン用プログラム記憶媒体を利用すると、施工完成予想図の画像や動画をパソコンのディスプレイ上でバーチャル表示できるようになる。このため、完成予想の部屋の間取りや雰囲気を解り易く施工依頼主に示すことができ、とくに、目の高さと方向に合わせた視線で部屋の中を見ることができるので、施工依頼者を満足させ、施工の本注文の獲得から施工完成に至る流れを円滑に進めることができ、施工完成後に生じ易い施工依頼者からの不満や改善の要求が生じない
【００３１】  次の請求項１１に記載の発明は、請求項１に記載の内装キット、客席構成品、厨房設備品などの施工に必要な資材の運送スケジュールを決める資材の運送管理システムであって、
資材の調達先の住所と出荷可能スケジュール、資材の数量、運送先の住所、交通ルート、陸上運送及び海上運送の価格、陸上運送及び海上運送業者の運送スケジュール、天候などを、通信回線を通じてディアルタイムで入手し、これらのデータをパソコンで解析して、経済的で効率の良い運送方法と運送日程と運送ルートを決定して、その情報をパソコンの画面に表示させることを特徴とする資材運送管理システムの発明である。
【００３２】  このシステムを利用すると、請求項１に記載の内装キット及び客席構成品、厨房用設備品を安価に調達できるだけでなく、運送面のコストを抑えることができる。とくに、建材などの資材を、中国、東南アジアで安く調達し、加工もこれらの国で行うと加工賃を格段に安く抑えることができるが、輸送コストを抑えることが重要になる。本発明の資材運送管理システムは、この点を改善するシステムである。
【発明を実施するための最良の形態】
【００３３】  本発明を実施するための最良の形態を次の実施例に挙げる。
【実施例１】
【００３４】  図１は、本発明による組立式による飲食店舗の内装施工方法により施工されたレストランの室内を示した斜視図である。
図１に示す実施例１による組立式による飲食店舗の店内１の内装は、壁板２、着色アクリル板などの透光性を有する材料で形成された天井板３，３、間仕切り４，４・・などの内装キットと、天井埋込型の照明器具５，５、据置型の照明器具６，６・・などの完成品と、椅子７，７及びテーブル８，８などの客席用備品とが、組み立てられて出来ている。壁板２、天井板３，３、間仕切り４，４・・などの内装キットは、この店内１の内装に合わせてプレカットしたものが、店内１で組み立てられたものであり、天井埋込型の照明器具５，５、据置型の照明器具６，６・・などの完成品と、椅子７，７及びテーブル８，８などの客席用備品９，９とは、この店に合わせたオリジナル製作されたものが他の場所で製作されたものが、店内１で適宜組み立てられて店内１の内装の一部を構成している。これらの組立構造は、分解可能に各部を組み合わせて固定し、或いは設置することにより行われている。
このため、店内１の模様替え、大幅な改装、内装を含めた店舗の移転、内装の撤去は容易にでき、従来の内装キットと違うのは、内装材に組立式のオリジナル製作の内装キットが用いられている点にある。
【実施例２】
【００３５】  図２は、本発明による組立式による飲食店舗の内装施工方法により施工されたカウンター式の飲食店の店内を示した斜視図である。
図２に示す実施例２による組立式による飲食店舗の店内１０の内装において特徴的に見られる点は、カウンター１１と、カウンターテーブル１２と、カウンター１１の内側の壁面１３と、棚１４と、カウンター１１の上方の装飾１５と、天井１６などが、この店内に合わせたけ以上にプレカットされたものを施工現場で組み立てられ、店内１０のカウンター１１に沿った位置に椅子１７が設置されたもので構成され、カウンター１１の内側には、調理台、流し台、冷蔵庫、製氷機などが配置されている。この店内１の内装と、従来のこの種の組立式による飲食店の店内の内装と異なる点は、内装材に組立式のオリジナル製作の内装キットが用いられている点にある。
【実施例３】
【００３６】  図３は、本発明による組立式による飲食店舗の内装施工方法により施工されたクラブの店内を示した斜視図である。
図３に示すクラブの店内２０の内装において特徴的に見られる点は、壁面２１と、床面２２と図示しない天井面がそれぞれ、このクラブの間取りに合わせてプレカットされたオリジナルデザインの壁パネル２３、床材２４、天井材が組み立てられて内装が出来ている。そして、オリジナル製作されたソファー２６とテーブル２７とが、店内２０内に適宜組み合わされて配置され、ソファー２６の後方には、薄明るい光を発する照明器具２８を円弧形状に配置した照明ユニット２９が組み立てられて固定されており、前後の客席ユニット３０，３０の間には、組立式のブラインド３１が床面に組み付けられている。
この店内３０の内装と、従来のこの種のクラブの店内の内装と異なる点は、壁パネル２、床材２４、天井材、ブラインド３１などの内装材と、照明ユニット２９がオリジナル製作の組立品が用いられて施工されている点にある。
【実施例４】
【００３７】  図４は、店舗予定の床スペースを一定間隔毎の方眼に仮想分割した図を示した間取り図であり、図５は、店内を客室ユニットと厨房ユニットと手洗いユニットに区分して示した間取り図、図６（ａ）は、図５に示す間取り図に客席用備品と厨房用設備品を設置した状態を示した図、（ｂ）は、厨房」ユニットの正面断面図、図７及び図８は、他の間取り図を示した図である。【００３８】  本実施例による組立式による飲食店舗の内装施工では、先ず、図４に示すように、店舗４０内の床スペース４１を、一辺が９００ｍｍの正方形の方眼で仮想分割する。
そして、図５に示すように、この方眼を単位とする、厨房ユニット、客席であるベンチユニット、手洗いユニットに区分けする。
そして、図６の（ａ）に示すように、厨房と客室と手洗い室とを間仕切りパネルＬで間仕切りしし、厨房内に流し台４２、ガスコンロ台４３、調理台４４、冷蔵庫４５などの厨房用設備品を」組み合わせて配置し、客室内にテーブル４６、椅子４７、長椅子４８、座敷４９などを適宜配置するという施工方法が採られており、この実施例の場合も、内装キットはプレカットされたものを施工現場で組み付けて施工し、厨房用設備品やテーブル４６、椅子４７、長椅子４８、座敷４９などの客席用備品を適宜組み合わせることにより出来ている。そして、図６の（ｂ）に示す厨房ユニットは一体型に組み立てられて、その下部中央に厨房から出る排水をろ過すると共に下水の臭いが逆流するのを防ぐ、トラップ４２ａが形成されてものが用いられている。
このように、店舗内スペースを９００ミリメートル各の方眼を単位とする間取りにすると、図７及び図８に示すように、厨房用設備品やテーブル４６、椅子４７、長椅子４８、座敷４９などの客席用備品を適宜組み合わせが容易になる。【００４０】  図９の（ａ）及び（ｂ）は、何れも、組立式による飲食店舗を施工する施工業者用の営業支援ツールのデータ画像が表示されたパソコンの画面Ｄを示している。このツールは、施工業者の営業マンが、施工予定の店内の間取りと寸法をパソコンに入力するためのプログラムと後述する情報がメモリされた記憶媒体（ＨＤ，ＣＤ，ＤＶＤ，ＦＤ等）であり、前述したツールとは使用目的が異なるが、前述したツールと共に１台のパソコンにインストールしておくことが好ましい。【００４１】  このツールにメモリされてディスプレイＤ上に読出し可能な情報は、図７（ａ）に示す三次元座標上に表示されるモデル図５０と、図７（ｂ）に示す二又次元座標上に表示されるモデル図５０Ａと、このモデル図５０（５０ａ）のポイントとなる語句を表示したタイトル欄５１と、このモデル図５０（５０Ａ）の品番を表示した品番表示欄５２と、モデル図５０（５０Ａ）に表示されている寸法引出し線に該当する寸法を施工現場で測定して、キーボードとマウスを使用して入力する寸法入力欄５３である。
三次元のモデル図５０と二次元のモデル図５０Ａは、キーボード又はマウスを操作して、ディスプレイＤに表示されている画面を切り替えにより表示される。【００４２】  施工業者が施工予定の店内の各部の寸法を測定して、パソコンにその寸法を入力すると、施工現場の正確な間取りが寸法とともにデータ保存されるので、このデータを通信回線を通じて、設計者のパソコンに送信すると、設計者は、施工予定の間取りを正確に知ることができ、短期間のうちに施工完成予想図を作成することができ、また、設計図を作成するデータとして使用できる。【００４３】  図１０は、組立式による飲食店舗を施工する施工業者の営業支援用ツールのデータ画像が表示されたパソコンの画面Ｄを示している。このツールは、設計者が作成した施工依頼者が希望する飲食店舗の二次元及び三次元の完成予想図の画像データを、施工業者及び／又は施工依頼者のパソコンＰＸのディスプレイＤに表示し、この表示した飲食店舗数の画像が、居住者の目の高さ、目の向きに対応した三次元画像又は三次元動画で表示することができるプログラムとデータがＨＤ，ＣＤ，ＭＯ，ＤＶＤに格納された記憶媒体であり、この画像データは、これらの記憶媒体を施工業者及び／又は施工依頼者のパソコンに、インストールされ、或いは通信回線を通じてデータ送信される。
このツールは、施工依頼者が、マウスＭを操作して、自由に目の高さと視線を方向を変化させ、また、照明の色や明るさを調節して、施工完成後の店内のバーチャル画像を見て、確認し、更に要望があれば、施工前にその要望を伝えることができるようにするためにある。【００４４】  図１１は、設計者側のパソコンＰ１と施工業者の営業マンのパソコンＰ２と施工依頼者のパソコンＰ３を示しており、この図に示すように、前述したいずれか又は双方の営業支援ツールにデータを入力し、このデータをインターネットで送受信すると、打ち合わせた内容に間違いが無くなり、施工依頼主が決定した品番を店舗デザイナーや設計者にデータ送信でき、デザインのプランニングや設計の見積もり、完成予想図を施工依頼主に早く提供できるようになる。
【図面の簡単な説明】
【００４５】
【図１】本発明による組立式による飲食店舗の内装施工方法により施工されたレストランの室内を示した斜視図である。
【図２】本発明による組立式による飲食店舗の内装施工方法により施工されたカウンター式の飲食店の店内を示した斜視図である
【図３】本発明による組立式による飲食店舗の内装施工方法により施工されたクラブの店内を示した斜視図である。
【図４】店舗予定の床スペースを一定間隔毎の方眼に仮想分割した図を示した間取り図である。
【図５】店内を客室ユニットと厨房ユニットと手洗いユニットに区分して示した間取り図である。
【図６】（ａ）は、店内を客室ユニットと厨房ユニットと手洗いユニットに区分して示した間取り図であり、（ｂ）は、厨房」ユニットの正面断面図である。
【図７】同じく他の間取り図を示した図である。
【図８】同じく他の間取り図を示した図である。
【図９】（ａ）は、施工業者用の営業支援ツールの三次元データ画像が表示されたパソコンの画面を示した図、（ｂ）は、組立式飲食店舗を施工する施工業者用の営業支援ツールの二次元データ画像が表示されたパソコンの画面を示した図である。
【図１０】組立式による飲食店舗を施工する施工業者用の営業支援ツールのデータが表示されたパソコンセットを示した図である。
【図１１】設計者側のパソコンと施工業者の営業マンのパソコンと施工依頼者のパソコンを示した図である。
【符号の説明】
【００４６】  １    （実施例１の組立式飲食店舗の）店内
２    壁板
３    天井板
４    間仕切り
５    天井埋込型の照明器具
６    据置型の照明器具
７    椅子
８    テーブル
１０    （実施例２の組立式飲食店舗の）店内
１１    カウンター
１２    カウンターテーブル
１３    壁面
１４    棚
１５    装飾
１６    天井
２０    クラブの店内
２１    壁面
２２    床面
２３    壁パネル
２４    床材
２５    天井材
２６    ソファー
２７    テーブル
２９    照明ユニット
３０    客席ユニット
３１    組立式のブラインド
【図１】
2006063773.tif 000003
【図２】
2006063773.tif 000004
【図３】
2006063773.tif 000005
【図４】
2006063773.tif 000006
【図５】
2006063773.tif 000007
【図６】
2006063773.tif 000008
【図７】
2006063773.tif 000009
【図８】
2006063773.tif 000010
【図９】
2006063773.tif 000011
【図９】
2006063773.tif 000012
【図１０】
2006063773.tif 000013
【図１１】
2006063773.tif 000014
【手続補正書】
【提出日】平成16年11月13日(2004.11.13)
【手続補正１】
【補正対象書類名】図面
【補正対象項目名】全図
【補正方法】変更
【補正の内容】
【図１】
2006063773.tif 000015
【図２】
2006063773.tif 000016
【図３】
2006063773.tif 000017
【図４】
2006063773.tif 000018
【図５】
2006063773.tif 000019
【図６】
2006063773.tif 000020
【図７】
2006063773.tif 000021
【図８】
2006063773.tif 000022
【図９】
2006063773.tif 000023
【図１０】
2006063773.tif 000024
【図１１】
2006063773.tif 000025
【手続補正２】
【補正対象書類名】明細書
【補正対象項目名】００４５
【補正方法】変更
【補正の内容】
【００４５】
【図１】本発明による組立式による飲食店舗の内装施工方法により施工されたレストランの室内を示した斜視図である。
【図２】本発明による組立式による飲食店舗の内装施工方法により施工されたカウンター式の飲食店の店内を示した斜視図である
【図３】本発明による組立式による飲食店舗の内装施工方法により施工されたクラブの店内を示した斜視図である。
【図４】店舗予定の床スペースを一定間隔毎の方眼に仮想分割した図を示した間取り図である。
【図５】店内を客室ユニットと厨房ユニットと手洗いユニットに区分して示した間取り図である。
【図６】（ａ）は、店内を客室ユニットと厨房ユニットと手洗いユニットに区分して示した間取り図であり、（ｂ）は、厨房」ユニットの正面断面図である。
【図７】同じく他の間取り図を示した図である。
【図８】同じく他の間取り図を示した図である。
【図９】（ａ）は、施工業者用の営業支援ツールの三次元データ画像が表示されたパソコンの画面を示した図、（ｂ）は、組立式飲食店舗を施工する施工業者用の営業支援ツールの二次元データ画像が表示されたパソコンの画面を示した図である。
【図１０】組立式による飲食店舗を施工する施工業者用の営業支援ツールのデータが表示されたパソコンセットを示した図である。
【図１１】設計者側のパソコンと施工業者の営業マンのパソコンと施工依頼者のパソコンを示した図である。